(57)【要約】【課題】通気孔から入った雨水に対する水返しが適切に行え、また、換気口フードを設けることなく換気構造を構築することが容易である換気装置および換気構造を提供する。【解決手段】換気装置２は、屋外側に露呈される板部（換気見切り）２１を備える。上記板部２１には、通気孔２１ａが形成されており、上記通気孔２１ａの上方となる上記板部２１の部位は水切り３が装着される第１装着部とされる。また、上記通気孔２１ａの下方となる上記板部２１の部位は樋４のブラケット４１が装着される第２装着部とされる。そして、上記板部２１の裏面には上記通気孔２１ａから浸入した雨水を返す換気水返し２４が設けられている。【選択図】図１
2015017380.tif 000002
【特許請求の範囲】
【請求項１】
板部に通気孔が形成されており、上記通気孔の上方となる上記板部の部位は水切りが装着される第１装着部とされ、上記通気孔の下方となる上記板部の部位は樋が装着される第２装着部とされ、上記板部の裏面には上記通気孔から浸入した雨水を返す換気水返しが設けられていることを特徴とする換気装置。
【請求項２】
請求項１に記載の換気装置において、上記換気水返しの背面側に防火ダンパーが設けられたことを特徴とする換気装置。
【請求項３】
請求項１または請求項２に記載の換気装置が上端部に固定された外壁パネルが建物に装着されてなる換気構造。
【請求項４】
請求項３に記載の換気構造において、上記第１装着部が締結部材によって上記建物に留め付けられることを特徴とする換気構造。
【請求項５】
請求項３または請求項４に記載の換気構造において、上記建物はフラット屋根を有する住宅であることを特徴とする換気構造。
【発明の詳細な説明】
【技術分野】
【０００１】
この発明は、外気を建物内に取り込む換気装置および換気構造に関する。
【背景技術】
【０００２】
一般に、フラット屋根を有する住宅においては、換気のために外壁面に貫通孔を形成して換気口フードを設けることが行われている。
【０００３】
また、特許文献１には、建物本体の軒先に取付けられ、軒樋を後付け可能な軒先ユニットに関し、鼻隠し部材と、軒先ユニットを建物躯体に固定するための複数の軒先ユニット取付部材と、軒樋を支持可能な複数の樋受け部材と、鼻隠し部材の建物屋外側の面の対面を上方側から被覆する水切材とを少なくとも備え、鼻隠し部材の屋外側の面には、少なくとも一つの通気孔が形成されるとともに、通気孔の屋外側を被覆するように形成されたリブ片を備え、鼻隠し部材の建物本体屋外側の面とリブ片との間には換気開口部を形成し、水切材の側面被覆部及び上面被覆部は、通気孔を上方側から被覆する位置に配設した換気構造が開示されている。
【先行技術文献】
【特許文献】
【０００４】
【特許文献１】特開２０１３−３２６５２号公報
【発明の概要】
【発明が解決しようとする課題】
【０００５】
しかしながら、上記換気口フードを設ける構造では現場での作業負担が大きく、また、上記換気口フードの配置間隔次第で意匠性が損なわれるおそれがある。また、特許文献１に記載の構造では、通気孔から入った雨水に対する水返しが十分でない。
【０００６】
この発明は、上記の事情に鑑み、通気孔から入った雨水に対する水返しが適切に行え、また、換気口フードを設けることなく換気構造を構築することが容易である換気装置および換気構造を提供することを課題とする。
【課題を解決するための手段】
【０００７】
この発明の換気装置は、上記の課題を解決するために、板部に通気孔が形成されており、上記通気孔の上方となる上記板部の部位は水切りが装着される第１装着部とされ、上記通気孔の下方となる上記板部の部位は樋が装着される第２装着部とされ、上記板部の裏面には上記通気孔から浸入した雨水を返す換気水返しが設けられていることを特徴とする。
【０００８】
上記の構成であれば、上記板部の裏面には上記通気孔から浸入した雨水を返す換気水返しが設けられているので、通気孔から入った雨水に対する水返しが適切に行える。
【０００９】
上記換気水返しの背面側に防火ダンパーが設けられていてもよい。これによれば、万が一の火災時に建物内への熱の流入を遮断することができる。
【００１０】
また、この発明の換気構造は、上記換気装置が上端部に取り付けられている外壁パネルが建物に装着されてなることを特徴とする。
【００１１】
上記の構成であれば、換気口フードを設けることなく換気構造を容易に構築することができる。
【００１２】
上記第１装着部が締結部材によって上記建物に留め付けられていてもよい。また、上記建物はフラット屋根を有する住宅であってもよい。
【発明の効果】
【００１３】
本発明であれば、通気孔から入った雨水に対する水返しが適切に行える。また、換気口フードを設けることなく換気構造を構築することが容易であるという効果を奏する。
【図面の簡単な説明】
【００１４】
【図１】本発明の実施形態にかかる換気装置が設けられた建物のフラット屋根部の断面図である。
【図２】図１の換気装置の拡大図である。
【図３】図１の換気装置の水返しを示した図であって、同図（Ａ）は平面図、同図（Ｂ）は縦断面図、同図（Ｃ）は正面図、同図（Ｄ）は斜視図である。
【図４】図１の換気装置の防火ダンパーを示した図であって、同図（Ｂ）、同図（Ｄ）、同図（Ｆ）は異なる向きから見た図であり、それぞれの縦断面図が同図（Ａ）、同図（Ｃ）、同図（Ｅ）によって示されている。
【発明を実施するための形態】
【００１５】
以下、この発明の実施の形態を添付図面に基づいて説明する。
図１に示すように、この実施形態の換気構造１００は、例えば、フラット屋根を有する住宅の樋配置部に設けられる。上記フラット屋根は例えばコンクリート床版により葺かれているが、これに限らない。また、上記換気構造１００は住宅の全周に配置してもよいが、この実施形態では、例えば、５Ｐ（例えば、Ｐ＝９１０ｍｍ）毎に配置している。
【００１６】
上記換気構造１００を構成している外壁パネル１は、フレーム１１の前面側に下地板１２および外壁板１３が設けられ、上記フレーム１１内に断熱材１４が配置された構造を有する。この外壁パネル１は例えば、上記フレーム１１が連結板１５を介して桁部１６に固定される。
【００１７】
上記外壁パネル１の上端部にこの実施形態の換気装置２がビス６１によって取り付けられている。さらに述べれば、上記外壁パネル１の上端部に換気スリットとなる部分が存在しており、この換気スリットとなる部分に上記換気装置２がセットされた状態の上記外壁パネル１が住宅の外部開口に嵌め込まれることで上記換気構造１００が構築される。
【００１８】
上記換気装置２は、屋外側に露呈される板部（換気見切り）２１を備える。上記板部２１には、図２にも示すように、通気孔２１ａが形成されており、上記通気孔２１ａの上方となる上記板部２１の部位は水切り３が装着される第１装着部２２とされる。また、上記通気孔２１ａの下方となる上記板部２１の部位は樋４のブラケット４１が装着される第２装着部２３とされる。そして、上記板部２１の裏面には上記通気孔２１ａから浸入した雨水を返す換気水返し２４が設けられている。上記換気水返し２４の両端は側板２５に固定されており、上記両側板２５間の部分が上記換気スリットとなる部分に嵌め込まれている。なお、上記側板２５を設けない構造も採用できる。さらに、この実施形態では、上記換気装置２は、上記換気水返し２４の背面側に防火ダンパー５を備えている。
【００１９】
上記板部２１は、図３にも示すように、上記通気孔２１ａを横方向に多数有しており、この通気孔２１ａの形成領域の幅が７７０ｍｍ程度とされ、全横幅が８５０ｍｍ程度とされている。また、上記換気水返し２４の背面側には上記防火ダンパー５との間で空気路を形成する受け板部２４ａが設けられている。
【００２０】
上記防火ダンパー５は、図４にも示すように、通気孔５１を有しており、この通気孔５１を上記受け板部２４ａによる空気路に面するように設けられる。また、上記通気孔５１を塞ぐことが可能な位置に蓋部５２が回動可能に且つばねに付勢されて設けられている。上記蓋部５２は温度ヒューズ５３によって通常は上記通気孔５１の閉鎖が阻止されているが、火災時の熱によって上記温度ヒューズ５３が動作すると、上記付勢力が解放され上記蓋部５２が回動して上記通気孔５１が塞がれる。
【００２１】
また、図１に示したが、上記外壁パネル１を上記住宅に固定するときに、上記板部２１の第１装着部２２がビス（締結部材）６２によって留め付けられる。そして、上記ビス６２を覆い隠すように上記第１装着部２２に上記水切り３が装着される。上記水切り３は上記通気孔２１ａの前面側で下り傾斜状に設けられ、当該水切り３を伝った雨水は樋４へと導かれる。また、上記水切り３の上部水平板部はフラット屋根側に位置し、ビス６３によって留め付けられている。上記水切り３の裏面側には防水シートが設けられ、上記水切り３の隙間から建物内へ雨水が浸入するのを防止するようにしている。また、上記換気装置２および上記防火ダンパー５は、上記受け板部２４ａの奥側垂下片に上記防火ダンパー５の奥側垂下片を重ねた状態で上記フレーム１１にビス６４によって留め付けられている。さらに、上記ブラケット４１は、上記第２装着部２３の前面側においてビス６５によって留め付けられている。
【００２２】
上記の構成であれば、上記板部２１の裏面には上記通気孔２１ａから浸入した雨水を返す換気水返し２４が設けられているので、通気孔２１ａから入った雨水に対する水返しが適切に行える。そして、上記換気装置２が上端部に取り付けられている外壁パネル１が上記住宅に装着されたことで、換気口フードを設けることなく換気構造を容易に構築することができる。また、この実施形態では、上記外壁パネル１の工場出荷段階において上記外壁パネル１に上記換気装置２および上記防火ダンパー５が取り付けられており、施工現場においては上記外壁パネル１を上記住宅に嵌め込むだけで、当該住宅において上記換気構造１００が構築されることになる。また、上記換気水返し２４の背面側に防火ダンパー５が設けられていると、万が一の火災時に建物内への熱の流入を遮断することができる。
【００２３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２４】
１      外壁パネル
２      換気装置
２１    板部
２１ａ  通気孔
２２    第１装着部
２３    第２装着部
２４    換気水返し
３      水切り
４      樋
４１    ブラケット
５      防火ダンパー
１００  換気構造
【図１】
2015017380.tif 000003
【図２】
2015017380.tif 000004
【図３】
2015017380.tif 000005
【図４】
2015017380.tif 000006